(57)【要約】      （修正有）【課題】使用上の安全性が向上するとともに、ソファーの耐用年数も長くなる、支持性の高い分解可能なソファーを提供する。【解決手段】フレーム１と受け部材１２とを備えるものであって、前記フレームは対向して立設される二つのアームレスト枠２と、アームレスト枠同士の間に跨っている跨り部材３とを含み、前記跨り部材に支持体４が設けられ、前記支持体は頂部が跨り部材の中段に固定され、底部が前記アームレスト枠の底端に揃えられて設けられていることで、前記跨り部材は支持体に受けられるようになる。支持体の増設により跨り部材の中段に対する支持は強化されており、長過ぎる跨り部材において歪みないし破断が発生することが防止される。【選択図】図１
0003234058.tif 000002
【実用新案登録請求の範囲】
【請求項１】
フレーム（１）と受け部材（１２）とを備え、前記フレーム（１）は、対向して立設される２つのアームレスト枠（２）と、前記２つのアームレスト枠（２）の間に跨っている跨り部材（３）とを含む、支持性の高い分解可能なソファーであって、
前記跨り部材（３）に支持体（４）が設けられ、前記支持体（４）は頂部が跨り部材（３）の中段に固定され、底部が前記アームレスト枠（２）の底端に揃えられて設けられていることで、前記跨り部材（３）は支持体（４）に受けられるように構成されたことを特徴とする支持性の高い分解可能なソファー。
【請求項２】
前記跨り部材（３）は、前記２つのアームレスト枠（２）の前縁の間に跨っている前側ロッド（５）、前記２つのアームレスト枠（２）の後縁の間に跨っている後側ロッド（６）、及び、前記２つのアームレスト枠（２）の頂端の間に跨っている上側ロッド（７）を含み、支持体（４）の頂部は、それぞれ前記前側ロッド（５）、前記後側ロッド（６）、及び前記上側ロッド（７）に固定されていることを特徴とする、請求項１に記載の支持性の高い分解可能なソファー。
【請求項３】
前記支持体（４）は、Ｖ字状を呈するとともに、前傾部分（８）、後傾部分及び当接部分（９）を含み、前記当接部分（９）は、水平に設けられながら、前傾部分（８）と後傾部分の底端との間に跨り、前記跨り部材（３）は、螺合部材で前記支持体（４）に固定されていることを特徴とする、請求項２に記載の支持性の高い分解可能なソファー。
【請求項４】
前記前傾部分（８）の頂端は、螺合部材で前側ロッド（５）に固定されていることを特徴とする、請求項３に記載の支持性の高い分解可能なソファー。
【請求項５】
前記後傾部分の中部にある頂端は、それぞれ螺合部材で前記後側ロッド（６）と上側ロッド（７）に固定されていることを特徴とする、請求項３に記載の支持性の高い分解可能なソファー。
【請求項６】
前記螺合部材は、支持体（４）に設けられ、貫通孔が開口されたＵ字状ブラケット（１４）を含み、正しく取り付けた場合、締付具は、前記貫通孔を通って前記跨り部材（３）における予定位置に螺合されて止められていることを特徴とする、請求項３に記載の支持性の高い分解可能なソファー。
【請求項７】
前記当接部分（９）の垂直投影は、前記受け部材（１２）の垂直投影の範囲に収められていることを特徴とする、請求項３に記載の支持性の高い分解可能なソファー。
【請求項８】
前記後傾部分は組合せ構造とされており、当接部分と一体的に形成された下棒（１１）と、取外し可能に前記下棒（１１）に取り付けられる上棒（１０）とを含むことを特徴とする、請求項３〜請求項７のいずれか一項に記載の支持性の高い分解可能なソファー。
【請求項９】
前記下棒（１１）の頂端は、その軸線に延びて縮径部分（１３）となり、前記上棒（１０）の下端口は、前記縮径部分（１３）に嵌着されながら螺合されて止められていることを特徴とする、請求項８に記載の支持性の高い分解可能なソファー。
【請求項１０】
前記後傾部分の断面輪郭は偏平口となり、前記上棒（１０）の下端口の内縁寸法は前記縮径部分（１３）の外縁寸法と同一であることを特徴とする、請求項９に記載の支持性の高い分解可能なソファー。
【考案の詳細な説明】
【技術分野】
【０００１】
本実用新案は家具の分野に関し、具体的には、ソファーに関する。
【背景技術】
【０００２】
輸送と収納の利便性を図るために、従来による分解可能なソファーはフレームとして棒材を用いることが一般的である。ソファーのフレームはアームレスト枠とアームレスト枠同士間に跨っている跨り部材とを含み、前記跨り部材は前側ロッド，後側ロッド及び上側ロッドを含み、ソファーを長くすることで座席数を増やし、利用者の増加に対応している。しかしながら、従来のソファーは長さが大きすぎになることに起因して宙吊りになっている跨り部材の中段が安定的に支持されなくなり、さらにその大幅な歪みにより破断することがあるから、安全上の欠陥が生じるばかりか、ソファーの耐用年数も低減し、ユーザ体験を損なってしまった。
【考案の概要】
【考案が解決しようとする課題】
【０００３】
従来技術の問題点を解決するために、本実用新案は支持性の高い分解可能なソファーを提供し、支持体の増設により跨り部材に対する支持は強化されており、使用上の安全性が向上するとともに、ソファーの耐用年数も長くなる。
【課題を解決するための手段】
【０００４】
フレームと受け部材とを備え、前記フレームは対向して立設される二つのアームレスト枠と、アームレスト枠同士の間に跨っている跨り部材とを含む支持性の高い分解可能なソファーであって、前記跨り部材に支持体が設けられ、前記支持体は頂部が跨り部材の中段に固定（固着）され、底部が前記アームレスト枠の底端に揃えられて設けられていることで、前記跨り部材は支持体に受けられるようになる支持性の高い分解可能なソファー。支持体の増設により跨り部材の中段に対する支持は強化されており、長過ぎる跨り部材において歪みないし破断が発生することが防止され、使用上の安全性が向上するとともに、ソファーの耐用年数も長くなる。
【０００５】
好ましくは、前記跨り部材はアームレスト枠の前縁間に跨っている前側ロッド，アームレスト枠の後縁間に跨っている後側ロッド及びアームレスト枠の頂端間に跨っている上側ロッドを含み、支持体の頂部はそれぞれ前記前側ロッド，後側ロッド及び上側ロッドに固定されている。前側ロッド，後側ロッド及び上側ロッドはアームレスト枠に対する支持と位置決めを行うとともに、受け部材を支持して、ソファーによる利用者への安定的な受けが確保されている。
【０００６】
好ましくは、前記支持体はＶ字状を呈し、前傾部分，後傾部分及び当接部分を含み、前記当接部分は水平に設けられながら前傾部分と後傾部分の底端間に跨り、前記跨り部材は螺合部材で前記支持体に固定されている。支持体は前傾部分と後傾部分により跨り部材を受け、当接部分により地面に当接しており、当接部分の長さが小さいから見られず、美観が向上している。
【０００７】
好ましくは、前記前傾部分の頂端は螺合部材で前側ロッドに固定され、前記後傾部分の中部にある頂端はそれぞれ螺合部材で前記後側ロッドと上側ロッドに固定されている。支持体によれば、前側ロッド，後側ロッド及び上側ロッドは位置決めされている。それにより、前側ロッド，後側ロッド及び上側ロッドの中段において直立方向の力を受けて歪みが生じることは防止され、また、受け部材は引っ張られて、受け安定性と快適性が向上している。
【０００８】
好ましくは、前記螺合部材は支持体に設けられ貫通孔が開口されたＵ字状ブラケットを含み、正しく取り付けた場合、締付具は貫通孔を通って前記跨り部材における予定位置に螺合されて止められている。前側ロッド，後側ロッド及び上側ロッドはそれぞれ該当するＵ字状ブラケットに嵌め込まれてから締付具で固定されて止められているので、支持性が効果的に向上するとともに、前側ロッド，後側ロッド及び上側ロッドの回転も抑えられ、受け部材が跨り部材を摺動してずれてしまうことは防止されている。
【０００９】
好ましくは、前記当接部分の垂直投影は前記受け部材の垂直投影の範囲に収められており、利用者の重量が受け部材と支持体を介して地面まで垂直下向きに伝達可能であるとともに、支持体も遮蔽されるようになる。
【００１０】
好ましくは、前記後傾部分は組合せ構造とされており、当接部分と一体的に形成された下棒と、取外し可能に下棒に取り付けられる上棒とを含む。後傾部分は後側ロッドと上側ロッドを同時に支持してバックレストとするために長くなっているから、組合せ構造とすることによって、棒材単体の長さを短縮し、収納や運搬しやすくなる。
【００１１】
好ましくは、前記下棒の頂端はその軸線に延びて縮径部分となり、前記上棒の下端口は縮径部分に嵌着されながら螺合されて止められている。縮径部分は上棒の下端口に挿入されているので、しっかりと接続されるように後傾部分が曲がらず、バックレストへの安定的な支持が実現されるとともに、上棒に対する受けも実現されている。
【００１２】
好ましくは、前記後傾部分の断面輪郭は偏平口となり、前記上棒の下端口の内縁寸法は前記縮径部分の外縁寸法と同一である。上棒と下棒はいずれも断面輪郭が偏平口となるため、挿入し合った場合に両者が相対的に回転できなくなり、上側ロッドと後側ロッドは安定的に受けられている。
【考案の効果】
【００１３】
支持体の増設により跨り部材の中段に対する支持は強化されており、長過ぎる跨り部材において歪みないし破断が発生することが防止され、使用上の安全性が向上するとともに、ソファーの耐用年数も長くなる。
【図面の簡単な説明】
【００１４】
【図１】本実用新案を解体した場合の構造模式図である。
【図２】支持体を解体した場合の構造模式図である。
【考案を実施するための形態】
【００１５】
以下、図面と考案を実施するための手段に合わせて本実用新案の実質的な特性をさらに説明する。
【００１６】
図１に示される支持性の高い分解可能なソファーはフレーム１と受け部材１２とで構成され、前記フレーム１は対向して立設される二つのアームレスト枠２と、アームレスト枠２同士間に跨っている跨り部材３とを含み、前記跨り部材３に支持体４が設けられ、前記支持体４は頂部が跨り部材３の中段に固定され、底部が前記アームレスト枠２の底端に揃えられて設けられていることで、前記跨り部材３は支持体４に受けられるようになる。支持体４を設けることでフレーム１の中段に対する支持は強化されており、跨り部材３の中段に集中して力が作用することに起因して歪みや破断が発生することは防止され、使用上の安全性が確保されるとともに、耐用年数が顕著に長くなり、ユーザ体験の向上は図られている。
【００１７】
取り付ける場合、まず、上側ロッド７，前側ロッド５及び後側ロッド６をアームレスト枠２同士間に跨がらせ、その後、支持ロッドを跨り部材３に取り付け、締付具で螺合して止めておき、最後に、受け部材１２をフレーム１に嵌着させる。上記手順でソファーを組み立てた場合、ソファーは両側がそれぞれアームレスト枠２で地面に当接し、中部が支持体４で地面に当接しているものとなり、利用者がソファーに座ると、利用者の重量が分けられるようにアームレスト枠２と支持体４を介して地面に伝達され、ソファーによる安定的な支持が確保されている。
【００１８】
収納する場合、まず、ソファーをアームレスト枠２，支持体４，上側ロッド７，前側ロッド５，後側ロッド６及び受け部材１２に解体し、その後、アームレスト枠２を上側部と下側部に解体し、支持体４を上棒１０と下棒１１，当接部分及び前傾部分８を含む支持本体とに解体し、最後に、受け部材１２で上側ロッド７，前側ロッド５，後側ロッド６及び上棒１０を包んでから、上側部，下側部及び支持本体と共に上下に重ね合わせて収納するようにし、収納後の構造は体積が低下しているので、運搬と収納の利便性が向上している。
【００１９】
実際には、前記跨り部材３はアームレスト枠２の前縁間に跨っている前側ロッド５，アームレスト枠２の後縁間に跨っている後側ロッド６及びアームレスト枠２の頂端間に跨っている上側ロッド７を含み、支持体４の頂部はそれぞれ前記前側ロッド５，後側ロッド６及び上側ロッド７に固定されている。前側ロッド５，後側ロッド６及び上側ロッド７はそれぞれ回転が抑えられるように端部がアームレスト枠２における該当する位置に固定されている。
【００２０】
実際には、前記受け部材１２はアームレスト外皮と受け体とを含み、アームレスト外皮は上からアームレスト枠２に嵌着され、受け体は方形の織物であり、受け体の後縁，中部及び前縁はそれぞれ上側ロッド７，後側ロッド６及び前側ロッド５に固定されていることで、シートとバックレストが形成される。上側ロッド７と後側ロッド６により受け体の後部は引っ張られて前記バックレストが形成され、後側ロッド６と前側ロッド５により受け体の前部は引っ張られて前記シートが形成される。
【００２１】
実際には、前記支持体４はＶ字状（図２参照）を呈し、前傾部分８，後傾部分及び当接部分９を含み、前記当接部分９は水平に設けられながら前傾部分８と後傾部分の底端間に跨り、前記跨り部材３は螺合部材で前記支持体４に固定されている。前記当接部分９の垂直投影は前記受け部材１２の垂直投影の範囲に収められており、支持体４は底部が短いので隠れるようになり、利用者は立っている場合には受け体に遮られて直接支持体４を見られず、美観が向上している。
【００２２】
実際には、前記前傾部分８の頂端は螺合部材で前側ロッド５に固定されている。前記後傾部分の中部にある頂端はそれぞれ螺合部材で前記後側ロッド６と上側ロッド７に固定されている。具体的には、前記螺合部材は支持体４に設けられ貫通孔が開口されたＵ字状ブラケットを含み、正しく取り付けた場合、締付具は貫通孔を通って前記跨り部材３における予定位置に螺合されて止められている。前記上側ロッド７，後側ロッド６及び前側ロッド５はいずれも断面輪郭が偏平口となるため、回転が抑えられるようにＵ字状ブラケット１４に挿入されることが容易になり、締付具が貫通孔を通ってからネジ穴と螺合されて止められやすくなり、組付けが容易になるとともに、受け体の位置決めと滑り止めも実現されている。
【００２３】
実際には、前記後傾部分は組合せ構造とされており、当接部分と一体的に形成された下棒１１と、取外し可能に下棒１１に取り付けられる上棒１０とを含む。後傾部分を組合せ構造とすることで、収納構造の体積は効果的に低減されるとともに、組み付けや使用しやすくなる。具体的には、前記下棒１１の頂端はその軸線に延びて縮径部分１３となり、前記上棒１０の下端口は縮径部分１３に嵌着されながら螺合されて止められ、つまり、縮径部分１３に嵌着されながら外から通った締付具で螺合されて止められている。
【００２４】
実際には、前記後傾部分の断面輪郭は偏平口となり、前記上棒１０の下端口の内縁寸法は前記縮径部分１３の外縁寸法と同一である。それにより、上棒１０と下棒１１は互いに周方向において回転が抑えられ、ポカよけが実現されるので、両者の向きを間違えて取り付けることに起因した誤った組付けは防止されている。
【符号の説明】
【００２５】
１…フレーム、２…アームレスト枠、３…跨り部材、４…支持体、５…前側ロッド、６…後側ロッド、７…上側ロッド、８…前傾部分、９…当接部分、１０…上棒、１１…下棒、１２…受け部材、１３…縮径部分、１４…Ｕ字状ブラケット。
【図１】
0003234058.tif 000003
【図２】
0003234058.tif 000004
【手続補正書】
【提出日】令和3年7月19日(2021.7.19)
【手続補正１】
【補正対象書類名】実用新案登録請求の範囲
【補正対象項目名】全文
【補正方法】変更
【補正の内容】
【実用新案登録請求の範囲】
【請求項１】
フレーム（１）と受け部材（１２）とを備え、前記フレーム（１）は、対向して立設される２つのアームレスト枠（２）と、前記２つのアームレスト枠（２）の間に跨っている跨り部材（３）とを含む、支持性の高い分解可能なソファーであって、
前記跨り部材（３）に支持体（４）が着設され、前記支持体（４）の頂部が前記跨り部材（３）に固定され、前記支持体（４）の底部が前記アームレスト枠（２）の底端に揃えられて設けられていることで、前記跨り部材（３）は支持体（４）に受けられるように構成されたことを特徴とする支持性の高い分解可能なソファー。
【請求項２】
前記跨り部材（３）は、前記２つのアームレスト枠（２）の前縁の間に跨っている前側ロッド（５）、前記２つのアームレスト枠（２）の後縁の間に跨っている後側ロッド（６）、及び、前記２つのアームレスト枠（２）の頂端の間に跨っている上側ロッド（７）を含み、支持体（４）の頂部は、それぞれ前記前側ロッド（５）、前記後側ロッド（６）、及び前記上側ロッド（７）に固定されていることを特徴とする、請求項１に記載の支持性の高い分解可能なソファー。
【請求項３】
前記支持体（４）は、Ｖ字状を呈するとともに、前傾部分（８）、後傾部分及び当接部分（９）を含み、前記当接部分（９）は、水平に設けられながら、前傾部分（８）と後傾部分の底端との間に跨り、前記跨り部材（３）は、螺合部材で前記支持体（４）に固定されていることを特徴とする、請求項２に記載の支持性の高い分解可能なソファー。
【請求項４】
前記前傾部分（８）の頂端は、螺合部材で前側ロッド（５）に固定されていることを特徴とする、請求項３に記載の支持性の高い分解可能なソファー。
【請求項５】
前記後傾部分は、それぞれ螺合部材で前記後側ロッド（６）と上側ロッド（７）に固定されていることを特徴とする、請求項３に記載の支持性の高い分解可能なソファー。
【請求項６】
前記螺合部材は、支持体（４）に設けられ、貫通孔が開口されたＵ字状ブラケット（１４）を含み、正しく取り付けた場合、締付具は、前記貫通孔を通って前記跨り部材（３）における予定位置に螺合されて止められていることを特徴とする、請求項３に記載の支持性の高い分解可能なソファー。
【請求項７】
前記当接部分（９）の垂直投影は、前記受け部材（１２）の垂直投影の範囲に収められていることを特徴とする、請求項３に記載の支持性の高い分解可能なソファー。
【請求項８】
前記後傾部分は組合せ構造とされており、当接部分と一体的に形成された下棒（１１）と、取外し可能に前記下棒（１１）に取り付けられる上棒（１０）とを含むことを特徴とする、請求項３〜請求項７のいずれか一項に記載の支持性の高い分解可能なソファー。
【請求項９】
前記下棒（１１）の頂端は、その軸線に延びて縮径部分（１３）となり、前記上棒（１０）の下端口は、前記縮径部分（１３）に嵌着されながら螺合されて止められていることを特徴とする、請求項８に記載の支持性の高い分解可能なソファー。
【請求項１０】
前記後傾部分の断面輪郭は偏平口となり、前記上棒（１０）の下端口の内縁寸法は前記縮径部分（１３）の外縁寸法と同一であることを特徴とする、請求項９に記載の支持性の高い分解可能なソファー。